(57)【特許請求の範囲】
【請求項１】
放送伝送器のチューニングデータを受信器へ伝送するための装置であって、複数の受信領域の各領域に対して当該領域内で受信可能な前記放送伝送器の前記チューニングデータを有するチューニングデータパケットを伝送し、前記複数の受信領域の各領域に対して、対応する前記チューニングデータパケットを識別するための参照パケットを伝送する装置において、各受信領域に対する前記参照パケットは、前記チューニングデータが使用されるところである前記受信領域だけで受信可能な放送伝送器の前記チューニングデータを有することを特徴とする放送伝送器のチューニングデータを受信器へ伝送するための装置。
【請求項２】
請求項１に記載の装置において、前記チューニングデータを使用する前記伝送器を識別するために、識別ラベルが前記参照パケット内の各チューニングデータのために伝送可能であることを特徴とする装置。
【請求項３】
請求項２に記載の装置において、前記識別ラベルが前記伝送器により伝送される識別コードを有することを特徴とする装置。
【請求項４】
請求項２に記載の装置において、前記識別ラベルが前記放送伝送器のテレテキストページヘッダ内に発生するキャラクタ列を有することを特徴とする装置。
【請求項５】
放送伝送器のチューニングデータを受信器へ伝送する方法であって、複数の受信領域の各領域に対して当該領域内で受信可能な前記放送伝送器の前記チューニングデータを有するチューニングデータパケットを伝送する工程と、前記複数の受信領域の各領域に対して、対応する前記チューニングデータパケットを識別するための参照パケットを伝送する工程とを含む方法において、各受信領域に対する前記参照パケットは、前記チューニングデータが使用されるところである前記受信領域だけで受信可能な放送伝送器の前記チューニングデータを有することを特徴とする放送伝送器のチューニングデータを受信器へ伝送する方法。
【請求項６】
請求項５に記載の方法において、前記チューニングデータを使用する前記伝送器を識別するために、識別ラベルが前記参照パケット内の各チューニングデータのために伝送可能であることを特徴とする方法。
【請求項７】
請求項６に記載の方法において、前記識別ラベルが前記伝送器により伝送される識別コードを有することを特徴とする方法。
【請求項８】
請求項６に記載の方法において、前記識別ラベルが前記放送伝送器のテレテキストページヘッダ内に発生するキャラクタ列を有することを特徴とする方法。
【請求項９】
供給されるチューニングデータにより受信器を放送伝送器へチューニングするためのチューニングユニットと、前記チューニングデータを蓄積するためのチューニングメモリと、受信領域内で受信可能な放送伝送器のチューニングデータを持つチューニングデータパケット及び複数の受信領域の各々に対してチューニングデータパケットを識別するための参照パケットを受信するための手段と、前記ユニット、前記メモリ及び前記手段と結合され、前記メモリへ選択されたチューニングデータパケットの前記チューニングデータを蓄積する制御回路とを有する放送受信器において、各受信領域に対する前記参照パケットは、前記チューニングデータが使用されるところである前記受信領域内だけで受信可能な放送伝送器の前記チューニングデータを有し、当該放送伝送器が受信されるまで前記制御回路が、前記参照パケットからの前記チューニングデータを前記チューニングユニットへ付与し、前記領域に対応する前記チューニングデータパケットを選択することを特徴とする放送受信器。
【請求項１０】
請求項９に記載の受信器において、前記制御回路が、チューニングデータのために伝送される識別ラベルを、前記チューニングデータを使用する伝送器により伝送される識別コードと比較することを特徴とする受信器。
【発明の詳細な説明】
背景技術
技術分野
本発明は、放送伝送器のチューニングデータを受信器へ伝送するための装置及び方法に関する。チューニングデータはここに、例えば放送伝送器を複数の伝送器から選択できるための伝送周波数又はチャネル番号のようなデータを意味するものと理解される。本発明はまた前記伝送されるチューニングデータを受信するための放送受信器に関する。このような放送受信器は例えばラジオ受信器、テレビ受信器やビデオレコーダである。
関係ある従来技術の説明
現在の放送受信器は、一般に伝送周波数又は伝送器のチャネル番号をチューナに与えることにより、所望の伝送器にチューニングする。しかしながら、ユーザは当該周波数又はチャネル番号を知る必要はない。ユーザはプログラム番号により伝送器を選択する。これはプリセットチューニングと呼ばれて有名である。対応する伝送器の伝送周波数又はチャネル番号は、チューニングメモリ内へ各プログラム番号のために蓄積される。前記受信器が最初に使用されるとき、前記チューニングメモリはインストール工程によりプログラムされるべきである。新しいテレビ伝送器が導入されるとき、すでに割り当てられているプログラム番号を変更することがしばしば望ましい。
1994年１月14日のEACEM Technical Note 001/94−01−17,draft 2.0は、ケーブルテレビネットワーク内にチューニングデータを伝送するための装置を開示している。ケーブルネットワークの前処理部に収容された当該装置は、放送伝送器の一つを通じて、特別なテレテキストページ形式でチューニングデータパケットを伝送する。各受信可能な伝送器に対して、伝送周波数又はチャネル番号は、前記チューニングデータパケット内のプログラム番号と結合される。インストール工程は、前記チューニングデータパケットの受信と前記プログラム番号により番地付けされた前記メモリで、前記受信器の前記チューニングメモリ内に取り込んだ前記チューニングデータの蓄積とを有する。前記受信器は、それから前記前処理伝送器のマネージャにより定められるプログラム番号により、全ての受信可能な伝送器にチューニングされることができる。一般に、これはユーザの望みに応じる。
チャネル分配はケーブルネットワークからケーブルネットワークへ変化してもよい。各ケーブルネットワークに対する個別のテレテキスト挿入器の使用を避けるために、既知の装置は同時に複数のチューニングデータパケットを伝送することができる。当該装置は、ケーブルネットワークにより形成される各受信領域内に受信できる伝送器内に収容される。前記伝送器は、アドレス即ち対応するチューニングデータパケットのテレテキストページ番号が、各受信領域に対して固定される他のテレテキストページの形式の参照パケットを伝送する。
領域に対する前記チューニングデータパケットが固定されるために、どの領域内に受信器があるかを示すことは、ユーザの責任である。この目的のために要求される対話はインストール工程を完全に自動化させない。その上、当該対話は表示を必要とする。結果として、テレビセットの操作接続が確立されるまで、例えばメニュー制御されたビデオレコーダはインストールされない。
本発明の目的及び概要
本発明の目的は、前記欠点を取り除くチューニングデータを伝送するための装置を提供することである。さらに特に、本発明の目的はユーザ側からの他のいかなる対話なしに複数の受信領域内にインストール可能な受信器に備えられる装置を提供することである。
この目的のため、本発明による装置は、各受信領域に対する参照パケットが前記領域内だけに前記チューニングデータにより受信可能な伝送器の前記チューニングデータを有することを特徴とする。各受信領域は所与の伝送周波数又はチャネル番号を介してその領域内にだけ受信可能な伝送器により特徴づけられるということが、これにより達成される。このように、受信器がどこの受信領域にあるかを受信器が決めることを可能とする。この目的のため、領域の特性である伝送器が受信されるまで、当該受信器は前記参照パケット内に記述された前記伝送器を連続してチューニングする。
いくつかの伝送周波数が一つの受信領域内だけで使用されることは、可能である。この場合、このような周波数での伝送器の簡易な受信が前記領域を局地化するのに充分である。しかしながら、伝送周波数又はチャネル番号は他の受信領域内の他の伝送器に対してしばしば使用される。このような場合に当該装置の他の実施例は、各チューニングデータに対する参照パケット内の識別ラベルが前記チューニングデータを使用する前記伝送器を識別するために伝送されることを特徴とする。この識別ラベルを前記伝送器自身により伝送された識別ラベルと比較することにより、受信器は受信された伝送器が実際に領域の特性のある伝送器であるか、又は「異なる」伝送器であるか決定する。
前記識別ラベルは様々な形式をもっていてもよい。実際にVPS（Video Programming System）又はPDC（Program Delivery Control）に対して、多くの伝送器により伝送されるソースコードの伝送はとても適している。伝送器のテレテキストページヘッダの一部、例えばその中で起きているキャラクタ列及び伝送器名称の指標も可能である。
【図面の簡単な説明】
図１は、本発明による装置を具備する、ラジオ及び／又はテレビ番組を複数の受信器に分配するためのシステムを示す。
図2A−2Cは、図１内に示された装置により伝送されるチューニングデータパケットの例を示す。
図３は、図１の装置により伝送される参照パケットの例を示す。
図４は、本発明による放送受信器の一般的構成を図式的に示す。
図５は、図４に示されたマイクロコンピュータにより実行されるインストールプログラムを説明するためのフローチャートを示す。
図６は、図５に示される副プログラムを説明するためのフローチャートを示す。
発明の好ましい実施の形態
図１は、ラジオ及び／又はテレビ番組を複数の受信器に分配するためのシステムを示す。当該システムは、例えばガラスファイバケーブルのような媒質２を介して前記番組を異なる分配伝送器３、４及び５に与える前処理伝送器１を有する。各分配伝送器は、ケーブルネットワーク（3a,4a,5a）により所与の領域（A,B,C）内に前記番組を分配する。複数の受信器６は、各ケーブルネットワークに接続されている。各ケーブルネットワークの周波数スペクトラムは、別個の搬送周波数又はチャネル番号が割り当てられる伝送チャネルへ通常分割される。
図１に示されるように、前記前処理伝送器１は、アンテナ12を介して地上伝送器を受信するための手段11と、一つ又はそれ以上のパラボラアンテナ14を介して衛星伝送器を受信するための手段13とを有する。前記前処理伝送器は、地方プログラムを伝送する地方ラジオ及び／又はテレビ伝送器15を有する。伝送器信号は、ミキサ回路16内で組み合わされ、前記ガラスファイバケーブル２に与えられる。
その上、前記前処理伝送器は、前記伝送器のチューニングデータTDを伝送するための装置17を有し、当該データは前記前処理伝送器により分配される。この例において、前記チューニングデータは加算回路18を介して前記地方プログラムに加えられる。前記地方伝送器がないならば、当該チューニングデータは所望ならば地上又は衛星伝送器の一つに供給され、伝送される。テレビ伝送器は好ましくはテレテキストページ内のチューニングデータを伝送する。ラジオ伝送器はRDS信号内のチューニングデータを伝送してもよい。テレビ伝送器によるチューニングデータの伝送が、これ以降説明される。装置17は、テレテキストページ発生器により構成され、加算回路18はテレテキスト挿入器により構成される。これらの装置は一般に知られていて更なる説明を必要としない。
前記分配伝送器３、４及び５は、同じテレビ番組を分配するとする。しかしながら、各受信領域A,B,C内のチャネル割当は異なるとする。しかし、同じプログラム番号を同じ伝送器へどこにも割り当てることは習慣的である。これを可能にするため、個別のチューニングデータパケットが、装置17により各受信領域に対してつくられる。この目的のため、テレテキストページ（これ以降チューニングページと呼ぶ）は、各領域に対して構成される。以下の例において、三つの国営地上伝送器NAT1,NAT2及びNAT3と二つの衛星伝送器SAT1及びSAT2とが前記前処理伝送器により分配されるとする。図2Aは、受信領域Ａに対するチューニングページを示す。このページは、16進法のページ番号1BAを持つ。図2Bは、受信領域Ｂに対するページ番号1BBを持つチューニングページを示し、図2Cは、チューニング領域Ｃに対するページ番号1BCを持つチューニングページを示す。チューニングページの構成及び伝送の更なる説明は、本出願人によるヨーロッパ特許公報0263555号、未公開のPHN14460及びPHN14461に見られる。完全を期すため、図2A−2Cに示される例は、各受信可能な伝送器に対して、プログラム番号PR21,MHzの伝送周波数形式のチューニングデータFR22（もしあるなら、チャネル番号）及び表示されることが可能な伝送器名称TN23を連続的に有することを特記する。
前記チューニングデータパケットに加えて、これ以降参照ページと呼ばれる、他のテレテキストページ形式の参照パケットがつくられる。前記参照パージは、あらかじめ決められたページ番号、好ましくはインストール工程が実行されるならば受信器により自動的に検索される標準番号を持つ。図３は、ページ番号1BEとしてここに示されるように、前記参照ページの実施例を示す。当該ページは、各受信領域に対して少なくとも前記領域の伝送特性のチューニングデータ31（ここにMHzの伝送周波数FC）とこの領域のためのチューニングデータパケットのアドレス32（ここにテレテキストページ番号PN）とを有する。その上、識別ラベルLB33は前述の伝送器の一つ又はそれ以上に割り当てられてもよく、前記受信領域は、読み取り可能なテキストAR34（例えば領域、町又は地区の名称）で表示されてもよい。
「領域の伝送特性」という表現についてさらに説明する。203.00MHz伝送周波数が領域Ａ内だけに使用されることが、図2A−2Cに示されるチューニングページから明らかである。換言すれば、テレビ受信器が203.MHzの伝送器を受信するとき、この受信器は受信領域Ａ内に明瞭に位置づけされる。203.MHz周波数の当該伝送器はこのように領域Ａの特性であり、したがって前記参照ページ内にこのように記述される。これが伝送NAT1であるかどうかと無関係である。同じ理由により48.25MHzの伝送器NAT3は、受信領域Ｃの特性である。実際、48.25MHzはどこにも使われていない。しかしながら、受信領域Ｂ内では状況が異なり、ここで使われている全ての周波数は、他でも使われている。しかしながら、チューニングページのさらなる考慮によると、領域Ａ内で189.00MHz周波数がSAT1に対して使われ及び領域Ｂ内でNAT3に対して使われ、領域Ｃ内で使われていない。換言すれば、テレビ受信器が189.00MHzの伝送器を受信し伝送器NAT3であることを確かめることができたとき、そのときは前記受信器は領域Ｂ内にある。前記受信された伝送器が本当に特定の伝送器であるかどうかを確かめることができるために、多くのラジオ及びテレビ伝送器が実際上識別コードを伝送するという事実が利用される。この識別コードは、前記参照ページ内のラベルLB（図３内の33）内に識別される。このラベルにより、受信器は、189.00MHzで受信された前記伝送器が本当に前記伝送器NAT3であるかどうかを確かめることができる。もしそれが本当ならば、前記受信器は受信領域Ｂ内に明瞭にある。対応するラベルを持つ189.00MHz周波数の前記伝送器は、このように領域Ｂの特性である。
様々な実施例が識別ラベル33をコーディングするために可能である。可能性あるコーディング形式は例えば、
Ｖ＜nnnn＞はVPS（Video Programming System）によりこのソースコードnnnnを伝送する伝送器のソースコードnnnnを示す。
Ｐ＜nnnn＞はPDC（Program Delivery Control）のテレテキスト8/30内のこのソースコードnnnnを伝送する伝送器のソースコードnnnnを示す。
Ｔ＜LLL＞は伝送器のテレテキストページヘッダ内に発生するキャラクタ列LLL（例えばBBC1,ARD）を示す。
当該コーディング形式は、参照ページ内で任意に使えるという喜ばしい特性を持つ。図３において、受信領域Ｂの特性である前記伝送器NAT3だけが識別ラベルを具備し、この伝送器の前記PDCソースコード（1008）はこの目的のため使われる。
図４は、本発明による放送受信器の一般的構造を示す。テレビ受信器が例として取り上げられている。ビデオレコーダやラジオ受信器のような他の放送受信器は同様な構造を持ち、個別に説明する必要はない。
図４に示された受信器は、前記ケーブルネットワーク（図１の3a,4a,5a）に接続されているアンテナ入力101を持つ。受信されたアンテナ信号は、チューナ102に印加される。このチューナは、インタフェース回路103からチューニング電圧VTを受ける。CITAC（Computer Interface for Tuning and Analog Control）の名前で既知のPhilips IC SAB 3035がインタフェース回路として選ばれてもよい。前記チューナ102は、周波数ｆのオシレータ信号を供給し、周波数分割器104内で256で分割後、この信号を前記CITAC103へ戻す。このように、チューナ102、CIATC103及び分割器104は周波数合成回路を構成する。チューニング周波数又はチャネル番号が前記CITACに与えられるならば、前記チューナは自動的にこの周波数又はチャネル番号にチューニングする。
前記チューナ102は、中間周波数信号IFを中間周波数増幅及び復調回路105へ印加し、当該回路はベースバンドビデオ信号CVBSを供給する。Philips IC TAD 2540がこの回路のために選ばれてもよい。前記ビデオ信号CVBSは、受信されたTVプログラムの表示のための表示スクリーン108に増幅回路107を介して順次に印加されるカラー信号R,G,Bを供給するカラーデコーダ106に印加される。その上、カラーデコーダ106は、付加のR'、G'、B'及びブランキング信号BLKを受け、これにより前記カラー信号R,G及びＢは完全に又は局部的に抑圧される。Philips IC TDA 356Xファミリが、このカラーデコーダ106のために選ばれてもよい。
前記ビデオ信号CVBSはまたテレテキストデコーダ109にも印加される。このデコーダは、前記ビデオ信号CVBSを受けて前記テレテキスト信号を分離し、データラインTTDを通ってComputer Controllled Teletext decoder（略してCCTデコーダ）と呼ばれる回路109bへ当該信号を印加するビデオ入力処理器109aを有する。当該デコーダはクロックラインTTCを介して前記ビデオ入力処理器109aからクロック信号を受け取る。当該デコーダはさらに一つ又はそれ以上のテレテキストページが蓄積でき、従ってページメモリと呼ばれるメモリ109cと結合される。前記CCTデコーダは三つの前述の基本色信号R',G'及びB'とブランキング信号BLKとを供給する。前記CCTデコーダは、局地的に発生されるオンスクリーンディスプレイ情報を表示するためにも適している。前記ビデオ入力処理器109aは、Philips IC SAA5230により構成されてもよく、前記CCTデコーダ109bは、Philips IC SAA5240により構成されてもよく、前記ページメモリ109cは、８キロバイトRAMでもよい。前記テレテキストデコーダ109の構成及び操作のさらなる説明のため、1984年のElectronic Components and Applications,vol,no.1の15頁から29頁にある「Computer Controlled Teletext」が参照される。
前記受信器は、さらにマイクロコンピュータ形式の制御回路110を有する。PhilipsのMAB84xxファミリのマイクロコンピュータは、この目的のために使われてもよい。当該マイクロコンピュータは、バスシステム111を介してテレテキストデコーダ109、CITAC103,不揮発性メモリ112及びローカル操作パネル113に結合される。チューニングメモリTMと呼ばれる前記不揮発性メモリ112は、なかんずく受信可能なテレビプログラムのチューニングデータを蓄積するために使われる。ユーザは、前記ローカル操作パネル113により好きなように前記チューニングメモリをプログラムでき、即ちユーザがプリセット番号の下、所望のテレビプログラムのチューニングデータを任意に蓄積できる。当該チューニングメモリをプログラムするこの既知の方法は、「マニュアルプログラム」とも呼ばれる。前記ローカル操作パネルは自動プログラムのためにインストールキー113aをさらに有する。
携帯リモコンユニット114は、前記受信器の日常の操作のために使われる。このユニットは、赤外線操作信号をマイクロコンピュータ110の入力に接続されている赤外線受信器115へ送る。リモコンユニット114は、複数のキー０から９とテレテキストモードのようなもので画像及び音を制御するスイッチのための通常のキー（図示しない）とを有する。
テレビ受信器の操作は、マイクロコンピュータ110のメモリ内に蓄積される制御プログラムによりさらに決められる。通常の操作モードにおいて、前記受信器は、一つ又はそれ以上のキーによりプログラム番号を発生することにより、チューニングされる。テレビ伝送器の伝送周波数は各プログラム番号に対する前記チューニングメモリ112内に固定される。関連ある周波数が、前記マイクロコンピュータ110により読みとられ、チューニング周波数として前記CITAC103に印加される。
前記インストールキー113aが押されると、前記マイクロコンピュータは、図５に示されるフローチャートを参照に説明されるインストールプログラムINSTを実行する。このプログラムのステップ61において、最小チューニング周波数fminが前記CITACに印加される。次に、ステップ62において、テレビ信号が受信されるまで前記チューニング周波数が一段階ずつ増加する検索工程が始まる。検索中に最大周波数fmaxを越えるとき（ステップ63）、前記インストールプログラムは終了する。
前記受信器がこのように見つけられたテレビ伝送器にチューニングされる一方、前記マイクロコンピュータはステップ64で前記ページ番号1BEを前記テレテキストデコーダへ供給する。これは、前記参照ページの番号であり、又はもし一つのチューニングページだけが伝送されるならば、このチューニングページの番号である。前記テレテキストデコーダは、このページの取得を始める。しかしながら、即座に受けた伝送器が前記チューニングデータを伝送する所望の伝送器であるかどうかは、あらかじめわからない。要求されたテレテキストページの待ち時間が観察される間、前記テレテキストデコーダはテレテキストページヘッダを受け、前記ページメモリ109c（図４参照）内に書き込む。ステップ65において、当該プログラムは、特定コード（〜）が前記ページヘッダ内に起こるかどうかを調べる。本出願人の未公開特許出願PHN14460において、前記伝送器を速く発見するために、このコード〜の使用が、前記テレテキストページヘッダ内に示される。前記コード〜が短時間Ｔ、例えば1/2秒内に発見されないならば、前記受信された伝送器はチューニングデータを持つ所望の伝送器ではない（ステップ66）。前記インストールプログラムは、次の伝送器を発見するためにステップ62へ戻る。このように形成されたプログラムループは、前記所望の伝送器が発見されることなしに最大伝送周波数fmaxに達するということがステップ63内でわかるやいなやすぐに中止される。その場合、ユーザは、例えばマニュアルプログラムに頼るべきであるということに気付く。
ステップ65において、チューニングデータを持つ伝送器が識別されると、前記テレテキストデコーダはステッ67においてテレテキストページ1BEの受信を待つ。当該ページが前記ページメモリ内に蓄積される。前記マイクロコンピュータは、次にページ1BEがチューニングページ（Ｔ）か又は参照ページ（Ｒ）かをステップ68で調べる。この目的のため前記ページは識別シンボルを具備してもよい。所望ならば、前記マイクロコンピュータは前記ページの分割を分析し、図2A−2Cの一つにしたがうレイアウトを持つのか又は図３にしたがうレイアウトを持つのかどうか確かめてもよい。ページ1BEがチューニングページであるならば、それは、チューニングページだけであると推測される。ステップ69において、伝送されたチューニングデータは前記受信器の前記チューニングメモリ112（図４参照）内に蓄積される。当該ステップ69は本出願人によるヨーロッパ特許公報EP0263555号と未公開特許出願PHN14460とに更に説明されている。前記インストール工程は、前記チューニングデータが前記メモリ内に蓄積されたとき中止される。
ページ1BEが参照ページであるならば、副プログラムLOC70が前記受信器がある前記受信領域を局地化するため及び対応するチューニングページを決定するために実行される。当該副プログラムLOCは図６に示されるフローチャートを参照して説明される。最初に、ステップ71は、即座にチューニング周波数ftun（即ちチューニングデータを持つ前記伝送器の伝送周波数）が保存されるということを実行する。次に前記処理器はステップ72で前記参照ページ内で述べられる第１の伝送器である前記伝送器の伝送周波数FC（図３の31）を読み、この周波数を前記CITACへ与える。図３に示される例を参照すると、前記受信器が203.00MHzにチューニングされるということを意味する。ステップ73において、テレビ信号TVが本当にこのチューニングに応答して受信したかどうかを確かめる。伝送器は本当に203.00MHzで受けたとしてみる。ステップ74において、前記参照ページがこの伝送器に対して識別ラベルLB（図３の33）を述べているかどうかを、前記副プログラムは確かめる。これは前記関連ある例の場合ではない。203.00MHzでの伝送器の簡易な受信は、前記受信器が受信領域Ａ内にあることを決定するのに充分である。所望ならば、ユーザは前記表示スクリーン上に領域、町又は区分（図３の34）の名前を表示することにより知らされてもよい。
ステップ73でTV信号が受信されないならば（即ち前記受信器が領域Ａ以外の領域内にあるので）、前記副プログラムは前記受信器を前記参照ページ内に述べられた次の伝送器へチューニングするためにステップ72へ戻るだろう。これは、再び図３を参照して、前記受信器が189.00MHzでチューニングされることを意味する。前記副プログラムは、この周波数に対する識別ラベルLB（図３の33）が前記参照ページ内に取り込まれているので、ステップ75に到着する。ステップ75において、このラベルは読みとられデコードされる。前の記述によりコーディングの可能な形式（Ｖ＜nnnn＞,P＜nnnn＞,T＜LLL＞）とこれらの重要性とが述べられた。ステップ76において、ラベルが前記受信された伝送器により伝送される識別コードICと対応するかどうかを確かめる。識別ラベルが例えばＴ＜BBC1＞だったならば、前記キャラクタ列BBC1がテレテキストページヘッダ内で起こるかどうかをこのステップ内で確かめられるだろう。現在の例において、前記識別ラベルがＰ＜1008＞であり、189.00MHzでの前記伝送器がテレテキストパケット8/30内の前記ソースコード1008を伝送するかどうかが確かめられる。前記受信器が受信領域Ｂ内にあるのはこの場合だけである。伝送器は領域Ａ（即ち図2Aの伝送器SAT1）内の189.00MHzで受信可能であり、この伝送器が前記ソースコード1008を持たないことは本当である。このように、受信領域Ｂも前記受信器により局地化できる。
前記ラベルと識別コードが互いに合わないならば、前記副プログラムは次の伝送器を検索するためにステップ72へ戻る。再び図３を参照して、前記受信器が48.25MHzにチューニングされる。この周波数で、受信領域Ｃ内の伝送器だけが受信できる。識別ラベルLBが48.25MHzの周波数にないならば、前記関連ある伝送器の簡易な受信は領域Ｃを局地化するのに再び充分である。
前記受信領域が上述のやり方で局地化された後、前記マイクロコンピュータは、前記局地領域に対する前記チューニングページの前記参照ページ内に述べられた前記ページ番号PN（図３の32）をステップ77で読む。しかしながら、前記受信器は、前記チューニングページを伝送する前記伝送器にもはやチューニングされない。ステップ78において、前記受信器はこの伝送器に再びチューニングされる。この伝送器の以前に蓄積された（ステップ71の）伝送周波数を使うとき、これが最も速く処理する。次に、固定化された前記ページ番号PNは、ステップ79で前記テレテキストデコーダに与えられる。前記受信領域に依存して、これはページ番号1BA,1BB又は1BCである。これは局地化副プログラムを中止する。前記チューニングページの受信後、前記伝送されたチューニングデータは、前記チューニングメモリ（図５のステップ69）内に蓄積され、前記受信器に対する前記インストール工程は完全に自動的に実行される。
前記参照ページ内の前記参照データを記述する順番は原則として任意であることに注意されたい。しかしながら、正確に選択された順番は、既述の順番で前記受信器が伝送器へチューニングするということを条件として、利点がある。例えば図３内の選ばれた順番で、189.00MHzにチューニングする際、前記受信器が領域Ａ内にないということが前に確かめられているので、前記ラベルＰ＜1008＞は実際省略される。これは、前記受信器が領域Ｂ内にあるということを明らかに証明する。
本発明による装置の非常に大きな利点は、この使用がケーブルネットワークに限定されないことである。領域を局地化するための参照ページに伴って、国営の地上放送ネットワークのマネージャが前記テレビプログラムの一つを通じて様々な領域に対して前記チューニングページを伝送することが同様に可能である。本発明は、複数の番組がMPEGビットストリームとしてコーディングされた形で分配される未来の伝送ネットワークに応用される。その場合に、前記チューニングデータは、伝送周波数又はチャネル番号により構成されず、前記ビットストリームのパケットヘッダ内に取り込まれるプログラム識別PIDにより構成される。
【図１】
0003596894.tif 000002
【図２Ａ】
0003596894.tif 000003
【図２Ｂ】
0003596894.tif 000004
【図２Ｃ】
0003596894.tif 000005
【図３】
0003596894.tif 000006
【図４】
0003596894.tif 000007
【図５】
0003596894.tif 000008
【図６】
0003596894.tif 000009